(57)【要約】【課題】情報記録媒体に記録されたコンテンツの再生を行う再生装置であって、所定の範囲のコンテンツ（リピート範囲）を繰り返し再生させるリピート再生機能における、再生方法の多様化が図られた再生装置の提供。【解決手段】リピート再生処理（リピート範囲の繰り返し再生処理）中において、特殊再生（例えばスロー再生など）の処理要求を受付け（ステップ３０２）、当該特殊再生処理要求があった際には、当該要求に従った再生方法を使用して（ステップ３０３）リピート再生処理を続行させる（ステップ３０１〜ステップ３０４）。【選択図】図３
2007115350.tif 000002
【特許請求の範囲】
【請求項１】
情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、当該リピート再生機能の実行中に特殊再生要求があった場合には、当該特殊再生要求に従った再生処理を行いつつ、前記リピート範囲の繰り返し再生処理の実行を継続させることを特徴とするリピート再生機能を備えた再生装置。
【請求項２】
情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、当該リピート再生機能実行時における再生方法の設定が格納されるテーブルであって、繰り返し回数情報と再生方法とが対応付けられたリピート再生方法設定テーブルを前記記憶部に格納することにより、前記リピート再生機能実行時には、再生の繰り返し回数に応じて、前記リピート再生方法設定テーブルの設定に従った再生処理を行うことを特徴とするリピート再生機能を備えた再生装置。
【請求項３】
情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、前記リピート範囲を複数個記憶部に記憶させることにより、前記リピート再生機能の実行時には、前記複数のリピート範囲を順次再生させる処理を繰り返す処理を行い、前記複数のリピート範囲のそれぞれと再生方法とが対応付けられた個別リピート再生方法設定テーブルを前記記憶部に格納することにより、前記リピート再生機能実行時には、再生されるリピート範囲に応じて、前記個別リピート再生方法設定テーブルの設定に従った再生処理を行うことを特徴とするリピート再生機能を備えた再生装置。
【請求項４】
情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、前記記憶部に、リピート再生機能実行時における再生方法の設定が格納されるテーブルであって繰り返し回数情報と再生方法とが対応付けられたリピート再生方法設定テーブルが記憶されている再生装置に、前記リピート再生機能実行処理要求があった際には、前記リピート再生方法設定テーブルから繰り返し回数情報に対応付けられた再生方法を取得するステップと、前記リピート再生機能実行時の繰り返し再生回数に応じて前記リピート再生方法設定テーブルから取得した再生方法によって前記リピート範囲の再生処理を行わせるステップと、を実行させることを特徴とするリピート再生機能実行プログラム。
【請求項５】
情報記録媒体に記録された１つ若しくは複数のコンテンツの再生処理を行い、リピート開始地点とリピート終了地点とを有するリピート範囲が複数個格納された記憶部と、再生処理部と、制御部と、を備えることにより、リピート範囲を繰り返して再生させるリピート再生機能を備えた再生装置であって、前記記憶部に、前記複数のリピート範囲のそれぞれと再生方法とが対応付けられた個別リピート再生方法設定テーブルが記憶されている再生装置に、前記リピート再生機能実行処理要求があった際には、前記個別リピート再生方法設定テーブルから前記各リピート範囲に対応付けられた再生方法を取得するステップと、前記各リピート範囲のそれぞれを、前記個別リピート再生方法設定テーブルから取得した再生方法によって順次再生させる処理を繰り返すステップと、を実行させることを特徴とするリピート再生機能実行プログラム。
【発明の詳細な説明】
【技術分野】
【０００１】
本発明は、情報記録媒体に記録されたコンテンツ（映像や音声）の再生を行う再生装置に関し、特に、所定の範囲のコンテンツを繰り返し再生させるリピート再生機能を備えた再生装置に関する。
【背景技術】
【０００２】
情報記録媒体（例えばＤＶＤなど）に記録された映像や音声などのコンテンツの再生処理を行う再生装置（例えばＤＶＤプレーヤなど）において、設定した範囲のコンテンツを繰返して再生させる「リピート再生機能」を備える装置が従来存在している。このような「リピート再生機能」に関する従来技術が特許文献１〜特許文献３などによって開示されている。
【０００３】
【特許文献１】実登録３０９６５３２号公報
【特許文献２】特開２００４−４０７０５号公報
【特許文献３】特開２００４−４８６１１号公報
【発明の開示】
【発明が解決しようとする課題】
【０００４】
従来の再生装置におけるリピート再生機能は、基本的に、単にリピート範囲を繰返して再生させる処理のみを行うものであり、リピート再生機能実行中においてさまざまな再生方法（例えばスロー再生などの特殊再生）を実行させることができるものではなかった。
【０００５】
本発明は、上述した点に鑑み、情報記録媒体に記録されたコンテンツの再生を行う再生装置であって、所定の範囲のコンテンツ（リピート範囲）を繰り返し再生させるリピート再生機能における、再生方法の多様化が図られた再生装置を提供することを目的とする。
【課題を解決するための手段】
【０００６】
請求項１のリピート再生機能を備えた再生装置は、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、当該リピート再生機能の実行中に特殊再生要求があった場合には、当該特殊再生要求に従った再生処理を行いつつ、前記リピート範囲の繰り返し再生処理の実行を継続させることを特徴とする。
【０００７】
上記構成によれば、“リピート再生機能”の実行中においても、「特殊再生要求」が受け付けられる。なお、“特殊再生”とは、例えば、スロー再生、逆スロー再生、早送り再生、早戻し再生、逆再生のごときもの（コンテンツの再生状態が維持されるが、通常の再生状態とは異なる動作）を言う。
【０００８】
請求項２のリピート再生機能を備えた再生装置は、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、当該リピート再生機能実行時における再生方法の設定が格納されるテーブルであって、繰り返し回数情報と再生方法とが対応付けられたリピート再生方法設定テーブルを前記記憶部に格納することにより、前記リピート再生機能実行時には、再生の繰り返し回数に応じて、前記リピート再生方法設定テーブルの設定に従った再生処理を行うことを特徴とする。
【０００９】
上記構成によれば、“リピート再生機能”の実行時（繰り返し再生処理の実行時）に、リピート再生方法設定テーブルの設定に従って、再生の繰り返し回数に応じて再生方法が変更される（例えば、通常再生→スロー再生→通常再生→スロー再生・・・のようなリピート再生処理を行わせることが可能となる）。
【００１０】
請求項３のリピート再生機能を備えた再生装置は、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、前記リピート範囲を複数個記憶部に記憶させることにより、前記リピート再生機能の実行時には、前記複数のリピート範囲を順次再生させる処理を繰り返す処理を行い、前記複数のリピート範囲のそれぞれと再生方法とが対応付けられた個別リピート再生方法設定テーブルを前記記憶部に格納することにより、前記リピート再生機能実行時には、再生されるリピート範囲に応じて、前記個別リピート再生方法設定テーブルの設定に従った再生処理を行うことを特徴とする。
【００１１】
上記構成によれば、“リピート再生機能”の実行時に、個別リピート再生方法設定テーブルの設定に従って、各リピート範囲に応じて再生方法が変更される（例えば、リピート範囲が２つ設定されている場合に、リピート範囲１：通常再生→リピート範囲２：スロー再生→リピート範囲１：通常再生→リピート範囲２：スロー再生・・・のようなリピート再生処理を行わせることが可能となる）。
【００１２】
請求項４のリピート再生機能実行プログラムは、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、前記記憶部に、リピート再生機能実行時における再生方法の設定が格納されるテーブルであって繰り返し回数情報と再生方法とが対応付けられたリピート再生方法設定テーブルが記憶されている再生装置に、前記リピート再生機能実行処理要求があった際には、前記リピート再生方法設定テーブルから繰り返し回数情報に対応付けられた再生方法を取得するステップと、前記リピート再生機能実行時の繰り返し再生回数に応じて前記リピート再生方法設定テーブルから取得した再生方法によって前記リピート範囲の再生処理を行わせるステップと、を実行させることを特徴とする。
【００１３】
請求項５のリピート再生機能実行プログラムは、情報記録媒体に記録された１つ若しくは複数のコンテンツの再生処理を行い、リピート開始地点とリピート終了地点とを有するリピート範囲が複数個格納された記憶部と、再生処理部と、制御部と、を備えることにより、リピート範囲を繰り返して再生させるリピート再生機能を備えた再生装置であって、前記記憶部に、前記複数のリピート範囲のそれぞれと再生方法とが対応付けられた個別リピート再生方法設定テーブルが記憶されている再生装置に、前記リピート再生機能実行処理要求があった際には、前記個別リピート再生方法設定テーブルから前記各リピート範囲に対応付けられた再生方法を取得するステップと、前記各リピート範囲のそれぞれを、前記個別リピート再生方法設定テーブルから取得した再生方法によって順次再生させる処理を繰り返すステップと、を実行させることを特徴とする。
【発明の効果】
【００１４】
本発明の請求項１の、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、当該リピート再生機能の実行中に特殊再生要求があった場合には、当該特殊再生要求に従った再生処理を行いつつ、前記リピート範囲の繰り返し再生処理の実行を継続させることを特徴とするリピート再生機能を備えた再生装置によれば、“リピート再生機能”の実行中においても、「特殊再生要求」が受け付けられるため、“リピート再生機能”の実行中における再生方法の多様化（例えばスロー再生など）が図られ、ユーザの利便性に優れる。
【００１５】
本発明の請求項２の、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、当該リピート再生機能実行時における再生方法の設定が格納されるテーブルであって、繰り返し回数情報と再生方法とが対応付けられたリピート再生方法設定テーブルを前記記憶部に格納することにより、前記リピート再生機能実行時には、再生の繰り返し回数に応じて、前記リピート再生方法設定テーブルの設定に従った再生処理を行うことを特徴とするリピート再生機能を備えた再生装置によれば、“リピート再生機能”の実行時（繰り返し再生処理の実行時）に、再生の繰り返し回数に応じて再生方法が変更されるため、例えば、スポーツのクロスプレイ映像部分において、通常再生→逆スロー再生→通常再生→逆スロー再生・・・のようなリピート再生処理や、通常再生→スロー再生→逆スロー再生→通常再生・・・のようなリピート再生処理を行わせることが可能となり、ユーザの利便性に優れる。
【００１６】
本発明の請求項３の、情報記録媒体に記録された１つ若しくは複数のコンテンツの再生処理を行い、リピート開始地点とリピート終了地点とを有するリピート範囲が格納された記憶部と、再生処理部と、制御部と、を備えることにより、リピート範囲を繰り返して再生させるリピート再生機能を備えた再生装置であって、前記リピート範囲を複数個記憶部に記憶させることにより、前記リピート再生機能の実行時には、前記複数のリピート範囲を順次再生させる処理を繰り返す処理を行い、前記複数のリピート範囲のそれぞれと再生方法とが対応付けられた個別リピート再生方法設定テーブルを前記記憶部に格納することにより、前記リピート再生機能実行時には、再生されるリピート範囲に応じて、前記個別リピート再生方法設定テーブルの設定に従った再生処理を行うことを特徴とするリピート再生機能を備えた再生装置によれば、複数のリピート範囲が設定された“リピート再生機能”の実行時に、各リピート範囲に応じて再生方法が変更される（例えば、リピート範囲が２つ設定されている場合に、リピート範囲１：通常再生→リピート範囲２：スロー再生→リピート範囲１：通常再生→リピート範囲２：スロー再生・・・のようなリピート再生処理を行わせることが可能となる）ため、再生方法の多様化が図られ、ユーザの利便性に優れる。
【発明を実施するための最良の形態】
【００１７】
以下、本発明の具体的実施例について、図面を参照しながら説明する。なお、以下の実施態様は、本発明を具体化する際の一形態であって、本発明をその範囲内に限定するためのものではない。
【実施例１】
【００１８】
図１は本実施例のＤＶＤ再生装置の本発明に係る部分のみの概略を示すブロック図である。図２・図３はそれぞれ本発明に関する処理動作の概略を示すフローチャートである。図４はリモコン装置の概略を示す平面図である。
【００１９】
図１に示されるように、本実施例のＤＶＤ再生装置１は、情報記録媒体であるＤＶＤ３からの信号の読込みをおこなうディスクドライブ１１、ディスクドライブ１１から入力されたデータを伸張するデコーダ等を備えることによりＤＶＤ３に記録されているコンテンツの再生処理を行う再生処理部１２、再生処理部１２によって生成された映像／音声信号を外部表示装置（例えばテレビ）へと出力する外部出力部１３、ユーザに対する入力インターフェースである操作部１４ａ又は受光部１４ｂ（リモコン装置２からの信号を受信する）からの信号を判別して出力するキー判別部１４、装置全体の制御を行う制御部１５、記憶手段である記憶部１６等を備える。ＤＶＤ再生装置１は、ユーザからの特殊再生（例えば、スロー再生、逆スロー再生、早送り再生、早戻し再生、逆再生など）要求に応じて、再生処理部１２と制御部１５によって、スロー再生などの特殊再生を実行させる機能を有するものである。
【００２０】
次に、図２及び図３を参照しつつ、本実施例のＤＶＤ再生装置１の本発明に関する動作の概略を説明する。図２は、リピート再生機能の設定から実行、終了に至る処理の概略を示したフローチャートである。
【００２１】
操作部１４ａ若しくはリモコン装置２（入力部）の操作によりユーザからのコンテンツ再生要求があった場合には（ステップ２０１）、ディスクドライブ１１・再生処理部１２・制御部１５によってＤＶＤ３に記録されているコンテンツの再生処理を行う（ステップ２０２）。続くステップ２０３ではリピート機能キー２１の入力（リピート開始地点の設定要求）を待ち、リピート機能キー２１の入力が無いままコンテンツの再生が終了した場合には（ステップ２０４）、処理を終了する。一方、リピート機能キー２１の入力があった場合には当該入力があった時点を“リピート開始地点”として取得して記憶部１６に一時的に記憶させると共に、ステップ２０５へと移行してリピート機能キー２１の再度の入力（リピート終了地点の設定要求）を待つ。リピート機能キー２１の入力が無いままコンテンツの再生が終了した場合には（ステップ２０６）処理を終了し、リピート機能キー２１の入力（リピート終了地点の設定要求）があった場合には当該入力があった時点を“リピート終了地点”として取得してステップ２０７へと移行する。
【００２２】
ステップ２０７では、ステップ２０３とステップ２０５でそれぞれ取得した“リピート開始地点”と“リピート終了地点”とを記憶部１６に格納する。続くステップ２０８では、リピート再生処理（図３に示す処理）を実行させ、リピート再生の終了指示があった際に（ステップ２０９）、リピート再生を終了させて（ステップ２１０）処理を終了する。なお、「リピート再生の終了指示」とは、コンテンツ再生状態を維持しつつ繰り返し再生処理のみを終了させるもの（例えば、リピート機能キー２１の再度の入力）の他、「停止ボタン」の入力によるコンテンツ再生停止指示や、「電源ボタン」の入力による装置の電源オフ指示などが該当する。
【００２３】
図３は、「リピート再生処理」の動作の概略を示すフローチャートである。ステップ３０１では、“リピート開始地点”からのコンテンツの再生処理を行う。当該処理は、記憶部１６に格納されている“リピート開始地点”を制御部１５によって取得し、当該“リピート開始地点”情報を利用して、再生処理部１２によってディスクドライブ１１を制御しつつ“リピート開始地点”からのコンテンツデータを取得し、これを映像／音声信号として外部出力部１３から出力することによって行われる。
【００２４】
ステップ３０２では、特殊再生（スロー再生など）の指示／解除要求を受付け、特殊再生の指示／解除の要求があった場合には、当該指示に従った特殊再生処理（例えば、スロー再生処理やその解除（即ち通常再生）処理）が行われる（ステップ３０３）。当該処理動作は、特殊再生の指示／解除の要求が操作部１４ａやリモコン装置２を操作（例えば、キー２２〜２６の入力）することにより行われ、当該要求内容がキー判別部１４・制御部１５によって判別・取得され、再生処理部１２と制御部１５によって当該要求に従ったスロー再生などの特殊再生が実行されることによって行われる。
【００２５】
再生処理部１２及び制御部１５によって、コンテンツ再生位置が、記憶部１６に格納されている“リピート終了地点”に至ったと判断された場合には（ステップ３０４）、ステップ３０１へと戻って処理を繰返す（これにより、“リピート開始地点”と“リピート終了地点”の間の繰り返し再生、即ち、リピート範囲の繰り返し再生処理が行われる）。
【００２６】
以上のごとく、本実施例の本実施例のＤＶＤ再生装置１によれば、“リピート再生機能”の実行中においても、「特殊再生要求」が受け付けられるため、“リピート再生機能”の実行中における再生方法の多様化が図られる（例えばスロー再生などの動作が可能となる）。例えば、ゴルフのスイング動作の映像をリピート範囲としてリピート再生処理を実行させている際に、スロー再生や、逆スロー再生といった再生動作を実行させること等が可能となり、ユーザの利便性に優れる。
【００２７】
なお、本実施例では、“リピート範囲”の設定（図２における処理）として、“リピート開始地点”と“リピート終了地点”によってリピート範囲を定めるものとしたが、例えば、コンテンツの再生単位（例えばタイトルやチャプターといった単位）を使用して“リピート範囲”を定めるようにしてもよい。従って、「リピート開始地点とリピート終了地点とを有するリピート範囲」とは、“リピート開始地点とリピート終了地点とによって設定されたリピート範囲”ということに限定されるものではなく、タイトル名などの情報でリピート範囲が設定されているようなものであってもよい。
【実施例２】
【００２８】
図５は本実施例のＤＶＤ再生装置内蔵ＬＣＤの本発明に係る部分のみの概略を示すブロック図である。実施例１と同様の構成要素となるものについては実施例１（図１）と同一の符号を使用し、ここでの説明を省略若しくは簡略化する。図６は同ＤＶＤ再生装置内蔵ＬＣＤの外観を示す斜視図、図７〜図８は本発明に関する部分の動作の概略を示すフローチャートである。
【００２９】
図５に示されるように、本実施例のＤＶＤ再生装置内蔵ＬＣＤ（以下単にＤＶＤ内蔵ＬＣＤ）７は、実施例１のＤＶＤ再生装置と同様にディスクドライブ１１、再生処理部１２、外部出力部１３、操作部１４ａ、受光部１４ｂ、キー判別部１４、制御部１５、記憶部１６を備えると共に、映像を表示する表示部７２、放送信号を受信するチューナ部７３、外部装置（例えばＨＤＤレコーダ）からの映像／音声信号を入力する外部入力部７４、チューナ部７３又は外部入力部７４からの信号を切替えて出力する入力切替部７５、入力切替部７５若しくは再生処理部１２等から入力された映像信号を表示部７２へ表示させる処理を行う表示処理部７１などを備える。なお、本実施例のＤＶＤ内蔵ＬＣＤ７も、ユーザからの特殊再生（例えば、スロー再生、逆スロー再生、早送り再生、早戻し再生、逆再生など）要求に応じて、再生処理部１２と制御部１５によって、スロー再生などの特殊再生を実行させる機能を有するものである。
【００３０】
次に、図７・図８を参照しつつ、本実施例のＤＶＤ内蔵ＬＣＤ７の本発明に関する動作の概略を説明する。なお、実施例１（図２・図３）と同様の処理概念となるものについては、実施例１と同一の符号を使用し、ここでの説明を省略若しくは簡略化する。
【００３１】
図７は、リピート再生機能の設定から実行、終了に至る処理の概略を示したフローチャートである。リピート範囲がユーザによって設定された（ステップ２０３〜ステップ２０６）後のステップ７０１では、ステップ２０３とステップ２０５でそれぞれ取得したリピート開始地点とリピート終了地点を記憶部１６に保存する。続くステップ７０２では、図９に示されるようなリピート再生方法設定画面を表示部７２に表示して（当該表示処理はＯＳＤ信号生成機能を有する制御部１５と表示処理部７１によって行われる）、設定されたリピート範囲に対する繰り返し回数に応じた再生方法（スロー再生や早送り再生など）を取得して、これをリピート再生方法設定テーブル（図１０にリピート再生方法設定テーブルの一例を示した）に格納して記憶部１６に保存する（ステップ７０３）。本実施例では、“繰り返し回数に応じた再生方法”を最大で４つ設定できるもの（必ずしも４つ全て設定する必要は無く１つのみの設定であってもよい）としているが、さらに多数の設定を可能とさせてもよい。なお、ユーザからの各種指示や各情報の取得動作は、表示画面に従う等してユーザがリモコン装置２や操作部１４ａを操作することで、キー判別部１４・制御部１５によって判別・取得される（ユーザの操作を適宜表示画面に反映しつつ必要な情報を所得する）。
【００３２】
上記処理によってリピート再生機能の設定がされた後のステップ２０８の“リピート再生処理”では、図８に示される処理が実行される。“リピート再生処理”（図８）が実行されると、制御部１５によって記憶部１６に記憶されているリピート再生方法設定テーブル１００が参照され、設定されている“再生方法”の数（本実施例では最大で４つ）を判別・取得し、これを変数ｎに代入する（ステップ８０１）。続くループ１は、ループ内の処理をｎ回繰り返す（ｉが１からｎとなるまで繰返す）ものであり、具体的にはループ１の処理が１回実行される（ｉがｎとなるまで実行される）と、設定されているリピート範囲の再生処理（特殊再生処理）がｎ回（リピート再生方法設定テーブル１００に設定されている“再生方法”の数）行われることとなる。ループ１の処理は「リピート再生終了指示（図７：ステップ２０９）」があるまで繰返されるため、リピート範囲の再生処理が繰返されることとなる。
【００３３】
ループ１内のステップ８０２では、リピート再生方法設定テーブル１００に設定されているｉ番目の再生方法が取得され、当該再生方法（例えばスロー再生）によってリピート範囲の再生処理が開始される（ステップ８０３）。続くステップ３０２〜３０４の処理（実施例１（図３）のステップ３０２〜３０４と同様の処理）を経て、コンテンツ再生位置がリピート終了地点に至ったと判断された場合には、ｉをインクリメントしてループ１の処理を繰返す（リピート再生方法設定テーブル１００に設定されている次の“再生方法”によるリピート範囲の再生処理に移行する）。
【００３４】
以上のごとく、本実施例のＤＶＤ内蔵ＬＣＤ７によれば、“リピート再生機能”の実行時（繰り返し再生処理の実行時）に、再生の繰り返し回数に応じて再生方法を変更させることが可能となるため、例えば、スポーツのクロスプレイ映像部分において、通常再生→逆スロー再生→通常再生→逆スロー再生・・・のようなリピート再生処理や、通常再生→スロー再生→逆スロー再生→通常再生・・・のようなリピート再生処理を行わせることが可能となり、ユーザの利便性に優れる。
【００３５】
なお、本実施例では、リピート範囲の設定があった際にその都度“再生方法”の設定を求めるものとしているが、通常は、いちいち“再生方法”の設定をユーザに求めることなくデフォルトとして“通常再生”を１つだけ自動的に割当てる（これによりデフォルトとしては、リピート再生機能実行時に繰り返し回数に関係なく通常再生が行われる）処理とし、ユーザからの“再生方法”設定要求があった場合に、図９のようなリピート再生方法設定画面を表示して、これをリピート再生方法設定テーブル１００に反映させるような処理としてもよい。
【実施例３】
【００３６】
図１１・図１２は本実施例のＤＶＤ再生装置内蔵ＬＣＤの本発明に関する部分の動作の概略を示すフローチャートである。なお、本実施例のＤＶＤ再生装置内蔵ＬＣＤの構成は実施例２（図５）と同様であるため、ここでの説明を省略し、必要があるときは図５を参照して説明する。
【００３７】
図１１は、リピート再生機能の設定から実行、終了に至る処理の概略を示したフローチャートである。なお、実施例１（図２）と同様の処理概念となるものについては実施例１と同一の符号を使用し、ここでの説明を省略若しくは簡略化する。
【００３８】
リピート範囲がユーザによって設定された（ステップ２０３〜ステップ２０６）後のステップ１１０１では、ステップ２０３とステップ２０５でそれぞれ取得したリピート開始地点とリピート終了地点をリピート設定テーブル（個別リピート再生方法設定テーブル）に格納して記憶部１６に保存する。なお、図１３にリピート設定テーブルの一例を示した。続くステップ１１０２では、図１４に示されるようなリピート再生方法設定画面を表示部７２に表示して、設定されたリピート範囲における再生方法（スロー再生や早送り再生など）を取得して、これをリピート設定テーブル１３０に格納して記憶部１６に保存する（ステップ１１０３）。なお、本実施例では、リピート範囲の設定があった際に、直ぐにリピート再生処理に移行するのではなく、ユーザからの「リピート再生の開始指示」を待って（この間に複数のリピート範囲を設定することができる）リピート再生処理に移行する（ステップ１１０４）。「リピート再生の開始指示」があった際には、リピート設定テーブル１３０を参照して、リピート範囲が設定されているか否かを判別し（ステップ１１０５）、これが設定されていないと判断された場合には、「リピート範囲が設定されていません」旨の警告を表示部７２に表示して（ステップ１１０６）、ステップ２０３へと戻り、以下処理を繰返す。
【００３９】
上記処理によってリピート再生機能の設定がされた後のステップ２０８の“リピート再生処理”では、図１２に示される処理が実行される。なお、実施例１（図３）と同様の処理概念となるものについては同一の符号を使用し、ここでの説明を省略若しくは簡略化する。
【００４０】
“リピート再生処理”（図１２）が実行されると、制御部１５によって記憶部１６に記憶されているリピート設定テーブル１３０が参照され、設定されているリピート範囲の数を判別・取得し、これを変数ｎに代入する（ステップ１２０１）。続くループ１は、ループ内の処理をｎ回繰り返す（ｉが１からｎとなるまで繰返す）ものであり、具体的にはループ１の処理が1回実行される（ｉがｎとなるまで実行される）と、設定されている全てのリピート範囲の再生処理（特殊再生処理）が順番に１回ずつ行われることとなる（例えば、図１３に示されるようにリピート範囲が２つ設定されている場合には、リピート範囲１の再生（通常再生）処理の後にリピート範囲２の再生（スロー再生）処理が行われることとなる）。ループ１の処理は「リピート再生終了指示（図１１：ステップ２０９）」があるまで繰返されるため、各リピート範囲の再生処理が順番に繰返されることとなる（上記例でいえば、リピート範囲１の再生⇒リピート範囲２のスロー再生⇒リピート範囲１の再生⇒・・・と繰返される）。
【００４１】
ループ１内のステップ１２０２では、リピート設定テーブル１３０に設定されているｉ番目リピート範囲に対応する再生方法が取得され、当該再生方法（例えばスロー再生）によって、リピート設定テーブル１９０に設定されているｉ番目のリピート範囲の再生処理が開始される（ステップ１２０３）。続くステップ３０２〜３０３の処理（実施例１（図３）のステップ３０２〜３０３と同様の処理）を経て、コンテンツ再生位置が、ｉ番目のリピート範囲のリピート終了地点に至ったと判断された場合には（ステップ３０４）、ｉをインクリメントしてループ１の処理を繰返す（リピート設定テーブル１３０に設定されている次のリピート範囲の再生処理に移行する）。
【００４２】
以上のごとく、本実施例のＤＶＤ内蔵ＬＣＤによれば、複数のリピート範囲が設定された“リピート再生機能”の実行時に、各リピート範囲に応じて再生方法が変更される（例えば、リピート範囲が２つ設定されている場合に、リピート範囲１：通常再生→リピート範囲２：スロー再生→リピート範囲１：通常再生→リピート範囲２：スロー再生・・・のようなリピート再生処理を行わせることが可能となる）ため、再生方法の多様化が図られ、ユーザの利便性に優れる。
【００４３】
なお、本実施例では、リピート範囲の設定があった際にその都度“再生方法”の設定を求めるものとしているが、通常はいちいち“再生方法”の設定をユーザに求めることなくデフォルトとして“通常再生”を自動的に割当てる処理とし、ユーザからの“再生方法”設定要求があった場合に、図１４のようなリピート再生方法設定画面を表示して、これをリピート設定テーブル１３０に反映させるような処理としてもよい。
【００４４】
また、本実施例では、各リピート範囲に対応付ける“再生方法”を、１つのみ設定できるようにしているが、実施例１の概念を用いることにより、各リピート範囲に対応付ける“再生方法”の設定を、繰り返し再生回数に応じて複数設定できるようにしてもよい。例えば、図１５に示したようなリピート設定テーブル１５０を備えさせ、繰り返し再生回数に応じた再生方法を各リピート範囲ごとに設定させ、“リピート再生処理”において、繰り返し回数に応じて“再生方法”を切り換える処理を行わせることにより、リピート範囲１の通常再生→リピート範囲２の通常再生→リピート範囲１のスロー再生→リピート範囲２の早送り再生→・・・といった処理や、リピート範囲１の通常再生→リピート範囲１のスロー再生→リピート範囲２の通常再生→リピート範囲２の早送り再生→・・・のような処理とさせることも可能となる。なお、この場合、リピート設定テーブル１５０は、「リピート再生方法設定テーブル」であり「個別リピート再生方法設定テーブル」でもある。
【００４５】
実施例中においては“情報記録媒体”の具体例として、ＤＶＤを用いて説明したが、その他のディスク媒体（例えば、ＨＤＤ、ＶＣＤ、ＤＶＡ、ＣＤ等）であってもよく、半導体メモリなどであっても構わない。また、本発明における“再生装置”とは、いわゆるＤＶＤプレーヤといった装置に限られるというものではなく、“映像コンテンツが記録された情報記録媒体”に対するデータの再生動作を行える装置を指し、他の機能をも併せ持つ装置（例えば、記録動作も行えるＤＶＤレコーダや、ＨＤＤ内蔵型のテレビや、ビデオカメラ、デジタルカメラ、パソコンなど）であっても構わない。
【図面の簡単な説明】
【００４６】
【図１】ＤＶＤ再生装置の本発明に係る部分のみの概略を示すブロック図
【図２】ＤＶＤ再生装置の本発明に関する処理動作の概略を示すフローチャート
【図３】リピート再生処理時の動作の概略を示すフローチャート
【図４】リモコン装置の概略を示す平面図
【図５】ＤＶＤ再生装置内蔵ＬＣＤの本発明に係る部分のみの概略を示すブロック図
【図６】ＤＶＤ再生装置内蔵ＬＣＤの外観の概略を示す斜視図
【図７】実施例２のリピート再生機能の実行・終了に関する処理動作の概略を示すフローチャート
【図８】実施例２のリピート再生処理時の動作の概略を示すフローチャート
【図９】表示画面（リピート再生方法設定画面）の一例を示す図
【図１０】リピート再生方法設定テーブルの一例を示す図
【図１１】実施例３のリピート再生機能の実行・終了に関する処理動作の概略を示すフローチャート
【図１２】実施例３のリピート再生処理時の動作の概略を示すフローチャート
【図１３】リピート設定テーブルの一例を示す図
【図１４】表示画面（実施例３のリピート再生方法設定画面）の一例を示す図
【図１５】別のリピート設定テーブルの一例を示す図
【符号の説明】
【００４７】
１      ＤＶＤ再生装置（再生装置）
２      リモコン装置（入力部）
３      ＤＶＤ（情報記録媒体）
７      ＤＶＤ内蔵ＬＣＤ（再生装置）
１１    ディスクドライブ
１２    再生処理部
１４ａ  操作部（入力部）
１５    制御部
１６    記憶部
２１    リピート機能キー
１００  リピート再生方法設定テーブル
１３０  リピート設定テーブル（個別リピート再生方法設定テーブル）
【図１】
2007115350.tif 000003
【図２】
2007115350.tif 000004
【図３】
2007115350.tif 000005
【図４】
2007115350.tif 000006
【図５】
2007115350.tif 000007
【図６】
2007115350.tif 000008
【図７】
2007115350.tif 000009
【図８】
2007115350.tif 000010
【図９】
2007115350.tif 000011
【図１０】
2007115350.tif 000012
【図１１】
2007115350.tif 000013
【図１２】
2007115350.tif 000014
【図１３】
2007115350.tif 000015
【図１４】
2007115350.tif 000016
【図１５】
2007115350.tif 000017